(57)【要約】【課題】スライダが非導通位置と導通位置のいずれに位置するときも付勢手段がカムバーのハートカム溝と近い部分を押圧でき、しかもスライダの位置に応じてカムバーに適切な付勢力を及ぼすことが可能なメモリカード用コネクタ及び該メモリカード用コネクタを備えた携帯端末を提供する。【解決手段】スライダ４０が非導通位置に位置するときカムバー６０の後端部近傍をハウジング１５の底面側に押圧する第１押圧部７５と、スライダが導通位置に位置するときカムバーの後端部近傍を上記底面側に押圧する第２押圧部７６とを有する片持ちばね７４を備える。【選択図】図２
2008300229.tif 000002
【特許請求の範囲】
【請求項１】
メモリカードを挿脱可能な収納部、及び該収納部に挿入したメモリカードの端子と電気的に導通するコンタクトを有するハウジングと、
上記メモリカードと一緒に上記収納部内をスライドし、上記端子と上記コンタクトが非接触となる非導通位置と、上記端子とコンタクトが接触する導通位置とに移動可能なスライダと、
一端部が上記スライダに支持されると共に他端部が収納部の上記底面に形成したハートカム溝に係合し、該ハートカム溝との係合位置を変化させることにより上記スライダの上記導通位置への保持及び該保持の解除を行うカムバーと、
上記スライダが上記非導通位置に位置するとき上記カムバーの上記他端部または他端部近傍を上記底面側に押圧する第１押圧部と、上記スライダが上記導通位置に位置するとき上記他端部または他端部近傍を上記底面側に押圧する第２押圧部とを有する付勢手段と、
を備えることを特徴とするメモリカード用コネクタ。
【請求項２】
請求項１記載のメモリカード用コネクタにおいて、
上記第２押圧部の付勢力が第１押圧部の付勢力より大きいメモリカード用コネクタ。
【請求項３】
請求項２記載のメモリカード用コネクタにおいて、
上記付勢手段が片持ちばねであり、
上記第１押圧部が上記片持ちばねの自由端部であり、
上記第２押圧部が上記片持ちばねの長手方向の中間部であるメモリカード用コネクタ。
【請求項４】
請求項３記載のメモリカード用コネクタにおいて、
上記第２押圧部が、上記板ばねの自由状態において支持端部と自由端部を結ぶ直線より上記底面側に突出する中間突出部であるメモリカード用コネクタ。
【請求項５】
請求項３または４記載のメモリカード用コネクタにおいて、
上記ハウジングの天井面を開放し、
該ハウジングの天井面を金属製のカバー部材で塞ぎ、
該カバー部材に上記片持ちばねを切り起こし成形したメモリカード用コネクタ。
【請求項６】
請求項１から５のいずれか１項記載のメモリカード用コネクタを備えたことを特徴とする携帯端末。
【発明の詳細な説明】
【技術分野】
【０００１】
本発明は、ｍｉｃｒｏＳＤカード等のメモリカード用のコネクタ及び該メモリカード用コネクタを備えた携帯端末に関する。
【背景技術】
【０００２】
メモリカード用コネクタは、メモリカードを挿脱可能に受け入れる収納部を備えるハウジングと、収納部内をメモリカードと一緒にスライドするスライダと、を備えている。収納部の底面には、収納部に挿入したメモリカードの端子と電気的に導通可能な多数のコンタクトが設けてある。また、スライダはメモリカードの端子とハウジングのコンタクトが非接触となる非導通位置と、端子とコンタクトが接触する導通位置とに移動可能である。
この種のコネクタには一般的に、スライダを上記導通位置に一時的に保持することにより、メモリカードの端子とハウジングのコンタクトの導通状態を維持するハートカム機構が設けてある。
【０００３】
ハートカム機構は、カムバーと、カムバーの一端部を回転可能に支持する支持用凹部と、カムバーの他端部が相対移動可能に係合するハートカム溝と、を備えている。
ハートカム溝はカムバーの他端部が係合しトレースするため、ハートカム溝は出来るだけ深く形成するのが好ましい。しかし、近年はコネクタに対する低背化の要求が厳しいため、スライダにハートカム溝を形成する場合はハートカム溝の深さを大きくするのが難しい。
そこで特許文献１では、スライダの上面にカムバーの一端部を回転可能に支持する支持用凹部を形成すると共に、ハウジングの底面にカムバーの他端部が移動可能に係合するハートカム溝を形成し、さらにハウジングの天井面を塞ぐカバー部材に切り起こし成形した板ばねの自由端部でカムバーをハウジングの底面側に押圧することによりカムバーの他端部がハートカム溝から浮き上がり脱落しないようにしている（係合が解除されないようにしている）。
このようにハウジング側にハートカム溝を形成すれば、ハートカム溝を深く形成しても、スライダの上面にハートカム溝を形成する場合に比べてコネクタ全体を低背化できる。
【特許文献１】特開２００６−１９０３０号公報
【発明の開示】
【発明が解決しようとする課題】
【０００４】
カムバーの他端部がハートカム溝から浮き上がらないようにするためには、ハートカム溝に近い側の端部であるカムバーの他端部（または他端部近傍）を板ばねによってハウジングの底面側に押圧するのが理想的である。
しかし、特許文献１ではスライダがスライドするとカムバーもハウジング及びカバー部材に対して相対移動するため、スライダの位置が変化すると板ばねの自由端部とカムバーの相対位置が変化してしまう。そのため、スライダの位置によっては板ばねの自由端部が、カムバーの中央部や一端部側を押圧してしまう。
【０００５】
さらに、メモリカードと一緒にスライダを非導通位置から導通位置側にスライドさせるときは、スライダの初期動作を円滑にし、さらにハートカム溝の摩耗やハウジングの底面部の反り返りを小さく抑えるために、板ばねによる押圧力を機能が満足する程度に小さくするのが理想的である。反面、スライダを導通位置に確実に保持したり（カムバーの他端部をハートカム溝の位置Ｅに係合させる）、カムバーの他端部がハートカム溝の段差を乗り越えるときに明確なクリックを得るためには、板ばねによる押圧力を大きくする必要がある。
しかし、特許文献１ではスライダの位置に拘わらず板ばねからカムバーにほぼ一定の押圧力を及ぼしており、板ばねからカムバーに適切に押圧力を及ぼしているとは言えない。
【０００６】
本発明の目的は、スライダが非導通位置と導通位置のいずれに位置するときも付勢手段がカムバーのハートカム溝と近い部分を押圧でき、しかもスライダの位置に応じてカムバーに適切な付勢力を及ぼすことが可能なメモリカード用コネクタ及び該メモリカード用コネクタを備えた携帯端末を提供することにある。
【課題を解決するための手段】
【０００７】
本発明のメモリカード用コネクタは、メモリカードを挿脱可能な収納部、及び該収納部に挿入したメモリカードの端子と電気的に導通するコンタクトを有するハウジングと、上記メモリカードと一緒に上記収納部内をスライドし、上記端子と上記コンタクトが非接触となる非導通位置と、上記端子とコンタクトが接触する導通位置とに移動可能なスライダと、一端部が上記スライダに支持されると共に他端部が収納部の上記底面に形成したハートカム溝に係合し、該ハートカム溝との係合位置を変化させることにより上記スライダの上記導通位置への保持及び該保持の解除を行うカムバーと、上記スライダが上記非導通位置に位置するとき上記カムバーの上記他端部または他端部近傍を上記底面側に押圧する第１押圧部と、上記スライダが上記導通位置に位置するとき上記他端部または他端部近傍を上記底面側に押圧する第２押圧部とを有する付勢手段と、を備えることを特徴としている。
【０００８】
上記第２押圧部の付勢力が第１押圧部の付勢力より大きいのが好ましい。
【０００９】
上記付勢手段が片持ちばねであり、上記第１押圧部が上記片持ちばねの自由端部であり、上記第２押圧部が上記片持ちばねの長手方向の中間部であるのが好ましい。
【００１０】
上記第２押圧部が、上記板ばねの自由状態において支持端部と自由端部を結ぶ直線より上記底面側に突出する中間突出部であるのが好ましい。
【００１１】
上記ハウジングの天井面を開放し、該ハウジングの天井面を金属製のカバー部材で塞ぎ、該カバー部材に上記片持ちばねを切り起こし成形するのが好ましい。
【００１２】
本発明のメモリカード用コネクタは、例えば携帯端末に実装可能である。
【発明の効果】
【００１３】
本発明によると、コネクタに適用する場合（請求項１から５）も携帯端末（請求項６）に適用する場合も、スライダが非導通位置に位置するときは付勢手段の第１押圧部が、カムバーのハートカム溝と対向する部分である他端部または他端部近傍をハウジングの底面側に押圧し、かつ、スライダが導通位置に位置するときは付勢手段の第２押圧部がカムバーの他端部または他端部近傍をハウジングの底面側に押圧する。従って、スライダの位置によらずカムバーの他端部がハートカム溝から浮き上がり脱落するのを確実に防止できる。
【００１４】
請求項２記載の発明によると、付勢手段は第１押圧部がカムバーに当接するときに比べて第２押圧部がより強い付勢力（押圧力）を発生するため、スライダの初期動作時（非導通位置から導通位置側へのスライド動作）においては、ハートカム溝の削れやハウジングの底面部の反り返りを効果的に防止できるとともに円滑な操作が可能となる。
また、スライダが導通位置に位置するときには、ハートカム溝とカムバーによってスライダを導通位置に確実に保持することが可能になる。さらに、スライダが導通位置近傍を移動しカムバーの他端部がハートカム溝の段差を乗り越えるとき、操作者に明確なクリック感を与えることが可能になる。
【００１５】
請求項３の発明によると、板ばねの支持端部から第１押圧部（自由端部）までの距離が支持端部から第２押圧部（中間部）までの距離より長いので、第２押圧部がカムバーに当接するとき、付勢手段は第１押圧部がカムバーに当接するときに比べてより強い付勢力（押圧力）を発生する。
従って、第２押圧部が第１押圧部より強い付勢力を発生する簡単な構造の付勢手段が得られる。
【００１６】
請求項４の発明によると、第２押圧部が板ばねの支持端部と自由端部を結ぶ直線より底面側に突出する中間突出部を有するので、非導通位置、導通位置を問わず、カムバーと板ばねは当接する部位以外の部分でも近接するため、カムバーが外乱によって振動や衝撃を受け不要な傾きが生じたりしても（イレギュラーな挙動をしても）、カムバーを安定して押圧することが可能となる。
また、板ばねの長さを長くすることができるため、コネクタが軽薄短小化されてもばね性を確保でき、安定してカムバーを押圧することが可能となる。
【００１７】
請求項５記載の発明によると、片持ちばねが金属製のカバー部材に一体に形成されるため、コネクタに対する片持ちばねの相対的な位置が安定するとともに小型・低背のコネクタでありながら優れたばね性を得ることができる。また、部品点数の削減と組立等の製造コストの低減も可能となる。
【００１８】
請求項６記載の発明によると、メモリカードを挿抜する際の操作感や作業性・安定性に優れ、メモリカード保持が確実である携帯端末を提供することができる。
【発明を実施するための最良の形態】
【００１９】
以下、添付図面を参照しながら本発明の一実施形態について説明する。なお、以下の説明中の前後及び左右の方向は図１に記載した矢印の方向を基準としている。
図２等に示すように本実施形態のコネクタ１０はｍｉｃｒｏＳＤカードＭＣ用のコネクタであり、例えば携帯電話、ＰＤＡ、パーソナルコンピュータ、デジタルカメラ、デジタルビデオカメラ、携帯音楽端末等に実装可能である。
コネクタ１０は大きな構成要素としてハウジング１５、スライダ４０、カムバー６０、カバー部材７０、圧縮コイルばねＳ１及び圧縮コイルばねＳ２を具備している。
平面視略矩形のハウジング１５は、絶縁性の合成樹脂料からなる一体成形品であり、後部壁１６、左側壁１７及び右側壁１８で囲まれた部分は前面及び上面が開放された収納部１９となっている。ハウジング１５には左右方向に並ぶ計８本のコンタクト２０が一体的に設けてある。各コンタクト２０の前半部は収納部１９内に位置しており、各コンタクト２０の前端部は接触端部２０ａとなっている。また、各コンタクト２０の後端部は後部壁１６を後方に貫通しており、各コンタクト２０の後端部をなすテール部２１を後部壁１６の後方において図示を省略した基板の回路パターンに半田付けしてある。さらに、左側壁１７と右側壁１８の外側面には３つの係合突起２２が突設してある。
ハウジング１５の底面の後側の右角部近傍には、右側壁１８と平行をなすと共にその後端が後部壁１６に接続する後部隔壁２４が突設してある。さらに、ハウジング１５の前縁の右端部には右側壁１８の前端部に接続する前側端部壁２５が突設してあり、右側壁１８、前側端部壁２５、後部隔壁２４及び後部壁１６の右端部で囲まれた部分がばね収容空間２６となっている。後部壁１６の右端部の前面と前側端部壁２５の後面には互いに同軸をなすばね支持軸２７とばね支持軸２８が突設してある。
ハウジング１５の底面には、ばね収容空間２６の左側に位置すると共に前後方向に延びるスライダ案内溝２９が凹設してある。さらに、ハウジング１５の底面部のスライダ案内溝２９の直後に位置する部分には、ハートカム溝３０が凹設してある。図８及び図９に詳しく示したように、ハートカム溝３０はハート形凸部３１の周囲に凹設した多数の段差を有する溝であり、その前端部をなす初期係合部３２と、ハート形凸部３１の右側に位置する押し込み時通過部３３と、ハート形凸部３１の後端部に位置する保持部３４と、ハート形凸部３１の左側に位置する戻り時通過部３５とを有している。
左側壁１７の前後方向の中間部に凹設した取付溝３７には、その後端部近傍に右側に向かって突出する被押圧部３８を有し、さらに外側面の後端部に突起３９ａを有する第２スイッチ端子３９が嵌合固定してある。さらに、左側壁１７には第２スイッチ端子（検知手段）３９の外側に位置する態様で第１スイッチ端子（検知手段）３６が一体的に設けてある。第１スイッチ端子３６のテール部（図示略）と第２スイッチ端子３９のテール部３９ｂは共に、上記基板の検知用回路パターンに半田付けしてある。
【００２０】
合成樹脂材による成形品であるスライダ４０の下面には、スライダ案内溝２９と同幅かつスライダ案内溝２９より前後長が短い案内突部４１が突設してある。案内突部４１はスライダ案内溝２９に摺動可能に嵌合しているので、スライダ４０はスライダ案内溝２９に沿ってコネクタ１０の底面上をスライド可能である。スライダ４０の左端部にはメモリカード係合部４２が設けてあり、メモリカード係合部４２の前端部の左側面は前後方向及び左右方向に対して略ばね支持軸４５°の角度で傾斜する傾斜面４３となっている。
一方、スライダ４０の右端部にはばね収容空間２６内に位置するばね支持部４４が設けてあり、ばね支持部４４の前面及び後面には互いに同軸をなすと共にばね支持軸２７及びばね支持軸２８とも同軸をなすばね支持軸４５とばね支持軸４６が突設してある。ばね支持軸４５とばね支持軸２７には圧縮コイルばねＳ１の前後両端部がそれぞれ嵌っており、さらにばね支持軸２８とばね支持軸４６には圧縮コイルばねＳ２の前後両端部がそれぞれ嵌っている。圧縮コイルばねＳ１の付勢力は圧縮コイルばねＳ２の付勢力より大きいので、スライダ４０に圧縮コイルばねＳ１、圧縮コイルばねＳ２以外の外力を掛けない状態においては、圧縮コイルばねＳ１と圧縮コイルばねＳ２の強さの差による前向きの付勢力（以下、「圧縮コイルばねＳ１による前向きの付勢力」と呼ぶ）によって、スライダ４０は案内突部４１の前端がスライダ案内溝２９の前端面に接触する非導通位置（図４及び図５の位置）に位置する。
また、スライダ４０の上面には平面視略Ｌ字形の取付溝４７が凹設してあり、スライダ４０の前端部には突起４８が突設してある。この取付溝４７には、前端部に弾性係合部５１を有するロック金具５０の略Ｌ字形をなす後端部５２が嵌合しており、ロック金具５０の前端部の右側面が突起４８に弾性接触している。さらに、スライダ４０の後端部の上面には支持用凹部４９が凹設してある。
【００２１】
カムバー６０は、ハウジング１５の底面に形成したハートカム溝３０とスライダ４０を連係する部材である。即ち、カムバー６０はその前後両端部に下向きに屈曲する前端係合突部（一端部）６１と後端係合突部（他端部）６２を有しており、前端係合突部６１はスライダ４０の支持用凹部４９に回転可能に支持され、後端係合突部６２はハート形凸部３１に相対移動可能に係合している。
このようにスライダ４０、圧縮コイルばねＳ１、圧縮コイルばねＳ２及びカムバー６０を収納するハウジング１５の天井面は、金属板のプレス成形品であるカバー部材７０によって覆われている。カバー部材７０の側壁には複数の係合孔７１が形成してあり、さらにカバー部材７０の前端には下向きの嵌合突部７２が突設してある。そして、各係合孔７１にハウジング１５の対応する係合突起２２を嵌合し、嵌合突部７２をハウジング１５の前側端部壁２５に凹設した嵌合凹部２３に嵌合することにより、カバー部材７０のハウジング１５からの脱落を防止している。また、カバー部材７０の左右の側壁の下端部にはそれぞれ２つのテール部７３が突設してあり、これらテール部７３は上記基板の接地パターンに半田付けしてある。
図１、図２、図１０及び図１１に示すように、カバー部材７０の上面の後端の右側角部近傍には、上記プレス成形によってカバー部材７０の成形時に同時に成形した片持ち式の板ばね７４が設けてある。板ばね７４の中間部には、自由状態において自由端部（第１押圧部）７５と支持端部を結ぶ直線よりハウジング１５の底面側に位置する中間屈曲部（第２押圧部）７６が形成してある。この板ばね７４はカムバー６０を常にハウジング１５の底面側（下向き）に押圧する付勢手段である。
【００２２】
次に以上構成のコネクタ１０にｍｉｃｒｏＳＤカードＭＣを挿脱するときの動作について説明する。
図１に示すようにコネクタ１０にｍｉｃｒｏＳＤカードＭＣを挿入していない状態においては、図５に示すようにスライダ４０は上記非導通位置に位置しており、カムバー６０の後端係合突部６２はハートカム溝３０の初期係合部３２に係合している（図４及び図５参照）。
この状態でｍｉｃｒｏＳＤカードＭＣをコネクタ１０の前面開口部から収納部１９内に挿入し後方に押し込むと、ｍｉｃｒｏＳＤカードＭＣの右側縁部の後部に形成した係合突部ＭＣ１がロック金具５０の弾性係合部５１を弾性変形させながら乗り越える。すると、図４及び図５に示すように係合突部ＭＣ１の前面をなす当接傾斜面ＭＣ２がスライダ４０の傾斜面４３に当接し、かつロック金具５０の弾性係合部５１がｍｉｃｒｏＳＤカードＭＣの右側縁部に凹設した係合凹部ＭＣ３に弾性係合するので、ｍｉｃｒｏＳＤカードＭＣがスライダ４０と一体化する。
図１０に示すように、スライダ４０が非導通位置に位置するときは、板ばね７４の自由端部７５がカムバー６０の後端部近傍を下向きに押圧しているので、自由端部７５がカムバー６０の前端部（または前端部近傍）を下向きに押圧する場合に比べて後端係合突部６２の初期係合部３２からの浮き上がりを確実に防止できる（後端係合突部６２と初期係合部３２を確実に係合させることができる）。
その一方で、板ばね７４の支持端部から自由端部７５までの距離は比較的長いので（支持端部から中間屈曲部７６までの距離より長いので）、このとき自由端部７５がカムバー６０に及ぼす付勢力はそれほど大きくはない。そのため、ｍｉｃｒｏＳＤカードＭＣをそれほど大きな力で後方に押し込まなくても、圧縮コイルばねＳ１による前向きの付勢力に抗してスライダ４０及びｍｉｃｒｏＳＤカードＭＣを後方に円滑にスライドさせることができる。さらに、このときの後端係合突部６２と初期係合部３２の間に生じる摩擦抵抗力は小さいので、初期係合部３２が摩耗したりハウジングの底面部が反り返るのを効果的に防止できる。
【００２３】
ｍｉｃｒｏＳＤカードＭＣとスライダ４０が一緒に後方にスライドし、カムバー６０の後端係合突部６２が押し込み時通過部３３を通ってハート形凸部３１の後方に位置した後にｍｉｃｒｏＳＤカードＭＣに対する後方への押圧力を解除すると、圧縮コイルばねＳ１による前向きの付勢力によりスライダ４０及びｍｉｃｒｏＳＤカードＭＣが前方に押し戻され、後端係合突部６２が保持部３４に係合することによりスライダ４０が図６及び図７に示す導通位置に保持される。スライダ４０が導通位置に位置すると、ｍｉｃｒｏＳＤカードＭＣの下面に形成した各端子（図示略）が対応するコンタクト２０の接触端部２０ａと接触し電気的に導通する。さらに、ｍｉｃｒｏＳＤカードＭＣの前端部の左側面が第２スイッチ端子３９の被押圧部３８を左側に押圧するので、突起３９ａが第１スイッチ端子３６の右側面の前端部に接触する。すると、上記基板に形成した検知用回路パターンを通してコネクタ１０を実装した電子機器（携帯電話、パーソナルコンピュータ、デジタルカメラ等）の制御部に検知信号が送られるので、該制御部がｍｉｃｒｏＳＤカードＭＣとコンタクト２０が電気的に導通したことを検知する。
図１１に示すようにスライダ４０が導通位置あるいはその近傍に位置するとき、板ばね７４の中間屈曲部７６がカムバー６０の後端部近傍を下向きに押圧するので、カムバー６０の前端部または前端部近傍を押圧する場合に比べて後端係合突部６２の初期係合部３２からの浮き上がりを確実に防止できる。
さらに、板ばね７４の支持端部から中間屈曲部７６までの距離は支持端部から自由端部７５までの距離より短いので、このとき中間屈曲部７６がカムバー６０に及ぼす付勢力はスライダ４０が非導通位置に位置するときに自由端部７５がカムバー６０に及ぼす付勢力より大きい。そのため、後端係合突部６２が押し込み時通過部３３と保持部３４の段差、あるいは保持部３４と戻り時通過部３５の段差を乗り越えるとき、操作者に明確なクリック感を与えることができる。しかも、後端係合突部６２と保持部３４は強い力で確実に係合することになるので、後端係合突部６２と保持部３４によりスライダ４０は導通位置に確実に保持される。
【００２４】
カムバー６０の後端係合突部６２と保持部３４によってスライダ４０を導通位置に保持した状態で、スライダ４０を再度圧縮コイルばねＳ１による前向きの付勢力に抗してさらに後方に押し込み、さらにｍｉｃｒｏＳＤカードＭＣに対する後方への押圧力を解除すると、圧縮コイルばねＳ１による前向きの付勢力により後端係合突部６２が保持部３４から離れて戻り時通過部３５側に移動し、戻り時通過部３５を通って初期係合部３２の前端まで自動的に移動する。従って、スライダ４０は非導通位置に復帰し、ｍｉｃｒｏＳＤカードＭＣの端子と各コンタクト２０の接触が解除される。さらに、ｍｉｃｒｏＳＤカードＭＣの前端部の左側面が第２スイッチ端子３９の被押圧部３８から離れ、第２スイッチ端子３９の突起３９ａが第１スイッチ端子３６の右側面の前端部から離れるので、ｍｉｃｒｏＳＤカードＭＣとコンタクト２０が非導通状態になったことを上記電子機器の制御部が検知する。
このようにスライダ４０が非導通位置に復帰した後に、係合突部ＭＣ１がロック金具５０の弾性係合部５１を乗り越えるまでｍｉｃｒｏＳＤカードＭＣを前方に引き出せば、ｍｉｃｒｏＳＤカードＭＣをコネクタ１０から前方に取り出すことができる。
【００２５】
以上説明したように本実施形態では、スライダ４０が非導通位置と導通位置のいずれに位置するときも、板ばね７４からカムバー６０の後端部近傍に押圧力を及ぼすので、カムバー６０の後端係合突部６２のハート形凸部３１からの浮き上がりを確実に防止できる。
しかも、スライダ４０が非導通位置に位置するときは自由端部７５からカムバー６０に比較的弱い押圧力を及ぼし、スライダ４０が導通位置に位置するときは中間屈曲部７６からカムバー６０に強い押圧力を及ぼしているので、スライダ４０の位置に応じて板ばね７４からカムバー６０に最適な強さの押圧力を及ぼすことが出来る。
【００２６】
本発明は本実施形態に限定されるものではなく、様々な変形を施しながら実施可能である。
例えば、板ばね７４の全長、板厚、幅、材質、中間屈曲部７６の位置等を変えることにより、板ばね７４からカムバー６０に及ぼす押圧力を調整することが可能である。
また、板ばね７４をカバー部材７０と一体的に形成せず別部材としてもよい。
さらに、板ばね７４を樹脂製のばねとしてもよい。この場合は、例えば、カバー部材７０を樹脂製とし、このカバー部材７０に切り起こしにより板ばね７４を一体的に設けてもよい。
【００２７】
また、本実施形態では板ばね７４の自由端部７５と中間屈曲部７６でカムバー６０の後端部近傍を押圧しているが、自由端部７５や中間屈曲部７６でカムバー６０の後端部（後端係合突部６２の直上部分）を押圧するようにしてもよい。
さらに、板ばね７４を下方に向かって湾曲する側面視円弧状とし（中央部が最も下方に位置し、円弧状部の前端と後端を除く中間部全体が中間突出部を構成する）、スライダ４０の位置に応じて板ばね７４が前端部近傍部（第１押圧部）から後端部近傍部（第２押圧部）に位置を変えながらカムバー６０の後端部（または後端部近傍）を押圧するようにしてもよい。
さらに、板ばね７４の中間部の複数箇所に自由状態において自由端部７５と支持端部を結ぶ直線よりハウジング１５の底面側に位置する中間屈曲部を形成してもよい。図１２は板ばね７４の中間部の２箇所に２つの中間屈曲部７７、７８を形成した例である。この変形例では、スライダ４０が非導通位置に位置するとき（図１２のとき）は自由端部７５がカムバー６０の後端部近傍（または後端部）を押圧し、スライダ４０が非導通位置と導通位置の間に位置したときは中間屈曲部７７がカムバー６０の後端部近傍（または後端部）を押圧し、スライダ４０が導通位置に位置したときは中間屈曲部７８がカムバー６０の後端部近傍（または後端部）を押圧する。
また、本実施形態のコネクタ１０はｍｉｃｒｏＳＤカードＭＣ用のものであるが、その他のメモリカード（ＳＤカード、ｍｉｎｉＳＤカード、ｍｉｃｒｏＳＤカード、メモリースティック、ｘＤピクチャーカード、ＭＭＣ等）用のコネクタとして実施することは勿論可能である。
【図面の簡単な説明】
【００２８】
【図１】本発明の一実施形態のコネクタの斜視図である。
【図２】コネクタの分解斜視図である。
【図３】ハウジングの平面図である。
【図４】ｍｉｃｒｏＳＤカードをコネクタ内に挿入しロック金具と係合させたときのカバー部材を省略して示すコネクタの斜視図である。
【図５】ｍｉｃｒｏＳＤカードをコネクタ内に挿入しロック金具と係合させたときのカバー部材を省略して示すコネクタの平面図である。
【図６】ｍｉｃｒｏＳＤカードをスライダと一緒に導通位置まで移動させたときのカバー部材及び圧縮コイルばねを省略して示すコネクタの斜視図である。
【図７】ｍｉｃｒｏＳＤカードをスライダと一緒に導通位置まで移動させたときのカバー部材及び圧縮コイルばねを省略して示すコネクタの平面図である。
【図８】ハートカムの左斜め前方から見た斜視図である。
【図９】ハートカムの右斜め前方から見た斜視図である。
【図１０】図５のＸ−Ｘ矢線に沿う断面図である。
【図１１】図７のXI−XI矢線に沿う断面図である。
【図１２】変形例の図１０と同様の断面図である。
【符号の説明】
【００２９】
１０    コネクタ
１５    ハウジング
１６    後部壁
１７    左側壁
１８    右側壁
１９    収納部
２０    コンタクト
２０ａ  接触端部
２１    テール部
２２    係合突起
２３    嵌合凹部
２４    後部隔壁
２５    前側端部壁
２６    ばね収容空間
２７  ２８  ばね支持軸
２９    スライダ案内溝
３０    ハートカム溝
３１    ハート形凸部
３２    初期係合部
３３    押し込み時通過部
３４    保持部
３５    戻り時通過部
３６    第１スイッチ端子（検知手段）
３７    取付溝
３８    被押圧部
３９    第２スイッチ端子（検知手段）
３９ａ  突起
３９ｂ  テール部
４０    スライダ
４１    案内突部
４２    メモリカード係合部
４３    傾斜面
４４    ばね支持部
４５  ４６  ばね支持軸
４７    取付溝
４８    突起
４９    支持用凹部
５０    ロック金具
５１    弾性係合部
５２    後端部
６０    カムバー
６１    前端係合突部（一端部）
６２    後端係合突部（他端部）
７０    カバー部材（シェル）
７１    係合孔
７２    嵌合突部
７３    テール部
７４    板ばね（付勢手段）
７５    自由端部（第１押圧部）
７６  ７７  ７８  中間屈曲部（第２押圧部）（中間突出部）
ＭＣ    ｍｉｃｒｏＳＤカード
ＭＣ１  係合突部
ＭＣ２  当接傾斜面
ＭＣ３  係合凹部
Ｓ１  Ｓ２  圧縮コイルばね
【図１】
2008300229.tif 000003
【図２】
2008300229.tif 000004
【図３】
2008300229.tif 000005
【図４】
2008300229.tif 000006
【図５】
2008300229.tif 000007
【図６】
2008300229.tif 000008
【図７】
2008300229.tif 000009
【図８】
2008300229.tif 000010
【図９】
2008300229.tif 000011
【図１０】
2008300229.tif 000012
【図１１】
2008300229.tif 000013
【図１２】
2008300229.tif 000014